(57)【特許請求の範囲】
【請求項１】
被選別物をふるい分けるスクリーンをスクリーンの下方に配置した複数の支持材によりトラフ内に支持して成り、スクリーン上に供給した被選別物を搬送しながら大小にふるい分けるようにした振動スクリーンに於いて、前記各支持材を支持材間の間隔が広くなるように千鳥状に配置し、スクリーンからトラフ上に落下した被搬送物が支持材間に引っ掛からないようにしたことを特徴とする振動スクリーン。
【発明の詳細な説明】
【０００１】
【発明の属する技術分野】
本発明は、不燃ごみや粗大ごみ、建設廃棄物等の被選別物の選別処理に利用されるものであり、被選別物を搬送しながらふるい分けるようにした振動スクリーンの改良に関するものである。
【０００２】
【従来の技術】
一般に、資源化の為に袋に詰めた状態で分別収集された不燃ごみ等は、先ず破袋機で破袋処理されてから破砕機によって破砕処理される。次に、破砕処理された不燃ごみ等は、磁選機によって鉄類が回収された後、振動スクリーンに送られ、ここでスクリーンの目の大きさに応じて大小にふるい分けされている。この振動スクリーンによる選別処理によって、後続の丸物選別機やアルミ選別機等の選別機にかかる負担が軽減される。
【０００３】
図３は従来の振動スクリーンの一例を示す概略斜視図であり、当該振動スクリーンは、断面形状が略凹状に形成されたトラフ１０と、トラフ１０内に配設され、スリット状の目１１ａ（隙間）を有するスクリーン１１と、スクリーン１１の下方位置に配置され、スクリーン１１をトラフ１０内に於いて支持する複数の板状の支持材１２等とから構成されて居り、スクリーン１１上に供給された不燃ごみや粗大ごみ等の被選別物１３を搬送しながらふるい分けするようになっている。
【０００４】
而して、破袋機、破砕機及び磁選機により夫々破袋処理、破砕処理並びに除鉄処理された不燃ごみや粗大ごみ等の被選別物１３は、先ずスクリーン１１の上流側（図３の斜め右上側）へ供給される。
【０００５】
スクリーン１１上に供給された被選別物１３は、スクリーン１１上で振動作用を受けながらスクリーン１１上を上流側（図３の斜め右上側）から下流側（図３の斜め左下側）へ順次搬送されて行く。この間に、被選別物１３中の小さなもの（土砂、ガラス片、陶器片等）は、スクリーン１１の目１１ａを通過してトラフ１０上に落下し、トラフ１０上で振動作用を受けながらトラフ１０上を上流側から下流側へ順次搬送されて行き、トラフ１０の下流側端部に形成した排出口１０ａからトラフ１０外へ落下排出される。
【０００６】
一方、スクリーン１１の目１１ａを通過しなかった被選別物１３中の大きなもの（比較的大型の不燃物や紙、布、プラスチック、木片、アルミ缶等）は、スクリーン１１上を引き続き上流側から下流側へ搬送されて行き、スクリーン１１の下流側端部からトラフ１０外へ落下排出される。
【０００７】
このようにして、不燃ごみ等の被選別物１３は、振動スクリーンにより一定以上の大きさの被選別物１３と一定未満の大きさの被選別物１３とに選別処理される。
【０００８】
【発明が解決しようとする課題】
ところで、従来の振動スクリーンにあっては、スクリーン１１をトラフ１０内に於いて支持する支持材１２がスクリーン１１の下方位置に碁盤目状に配置されている為、支持材１２間の間隔Ｗが比較的狭くなっている。然も、スクリーン１１の目１１ａがスリット状に形成されている為、被選別物１３中に含まれているスクリーン１１の目１１ａの幅よりも長い長尺状の被選別物１３であっても、搬送中にスクリーン１１の目１１ａに沿って平行な姿勢となったときに、スクリーン１１の目１１ａを通過してトラフ１０上に落下することがあった。
【０００９】
従って、従来の振動スクリーンにあっては、長尺状の被選別物１３がスクリーン１１からトラフ１０上に落下し、比較的間隔の狭い支持材１２間にブリッジ状に引っ掛かると云う問題が発生した（図４参照）。被選別物１３が支持材１２間に引っ掛かると、トラフ１０上の被選別物１３の流れが阻害され、被選別物１３がトラフ１０上に停滞して搬送不良となる。この場合には、振動スクリーンの運転を一旦停止し、支持材１２に引っ掛かっている被選別物１３の除去作業を必要とした。
【００１０】
本発明は、このような問題点に鑑みて為されたものであり、その目的はスクリーンの支持材による被選別物の引っ掛かりを防止してトラフ上での被選別物の搬送不良を防止できるようにした振動スクリーンを提供することにある。
【００１１】
【課題を解決するための手段】
上記目的を達成する為に、本発明は、被選別物をふるい分けるスクリーンをスクリーンの下方に配置した複数の支持材によりトラフ内に支持して成り、スクリーン上に供給した被選別物を搬送しながら大小にふるい分けるようにした振動スクリーンに於いて、前記各支持材を支持材間の間隔が広くなるように千鳥状に配置し、スクリーンからトラフ上に落下した被搬送物が支持材間に引っ掛からないようにしたことに特徴がある。
【００１２】
【発明の実施の形態】
以下、本発明の実施の形態を図面に基づいて詳細に説明する。
図１は本発明の実施の形態に係る振動スクリーンの一例を示す概略斜視図であり、当該振動スクリーンは、揺動自在に支持されたトラフ１と、トラフ１内に配設されたスクリーン２と、スクリーン２をトラフ１内で支持する複数の支持材３と、トラフ１及びスクリーン２を振動させる駆動部４等とから構成されて居り、破袋処理、破砕処理並びに除鉄処理された不燃ごみや粗大ごみ等の被選別物５を搬送しながら選別処理できるようになっている。
【００１３】
前記トラフ１は、鋼板等の金属板により断面形状が略凹状に形成されて居り、矩形状の底壁１ａと、底壁１ａの両側端部（図１の斜め左上部分及び斜め右下部分）に垂直状に連設された左右の側壁１ｂと、底壁１ａの上流側端部（図１の斜め右上部分）に垂直状に連設された上流側側壁１ｃとから成る。
このトラフ１は、下流側（図１の斜め左下側）が上流側（図１の斜め右上側）よりも若干低くなる傾斜姿勢でもって配置されて居り、固定側部材（図示省略）にバネ等の弾性支持体（図示省略）を介して揺動自在に支持されている。
又、トラフ１の下流側の底壁１ａ部分には、スクリーン２を通過してトラフ１上に落下した小さめの被選別物５を排出する為の排出口１ｄが下方へ開放された状態で形成されている。
【００１４】
尚、トラフ１の上流側には、破袋処理、破砕処理並びに除鉄処理された不燃ごみや粗大ごみ等の被選別物５をスクリーン２上に供給する為の被選別物の供給口（図示省略）が形成されている。
又、トラフ１の下流側には、上述した排出口１ｄの他にスクリーン２上に残った大きめの被選別物５を排出する為の排出口（図示省略）が形成されている。
【００１５】
前記スクリーン２は、トラフ１内にトラフ１の底壁１ａと平行する姿勢でもって配設されて居り、トラフ１内に投入された不燃ごみ等の被選別物５を一定以上の大きさの被選別物５と一定未満の大きさの被選別物５とにふるい分けるものである。
即ち、スクリーン２は、複数枚の鋼板等の帯状金属板２ａをトラフ１の長手方向（図１の斜め右上から斜め左下方向）に沿う姿勢で且つトラフ１の幅方向（図１の斜め左上から斜め右下方向）に一定の間隔を開けて並設し、各帯状金属板２ａ間に小さめの被選別物５の通過を許容する多数のスリット状の目２ｂ（隙間）を形成することによって構成されている。
又、スクリーン２の目２ｂの幅Ｗ1 は、上流側（図１の斜め右上側）から下流側（図１の斜め左下側）へ向って徐々に広くなるように設定されて居り、スクリーン２上を搬送される被選別物５による目詰まりを防止できるようになっている。
【００１６】
そして、前記スクリーン２は、スクリーン２の下方位置に配置した複数の支持材３によりトラフ１内に支持されている。
前記複数の支持材３は、トラフ１上に落下した被選別物５がトラフ１上を上流側から下流側へ搬送される際に、被選別物５の流れを阻害しないようにスクリーン２を支持するものであり、鋼板等の長尺状の金属板から成る。
又、各支持材３は、被選別物５の搬送方向（図１の斜め右上から斜め左下方向）に沿う姿勢で且つ支持材３間の間隔Ｗ2 が広くなるように、トラフ１の底壁１ａ上に千鳥状に配置されて居り、その上下端部がトラフ１の底壁１ａ及びスクリーン２の下面に夫々溶接等により固着されている。このように、各支持材３をトラフ１の底壁１ａ上に千鳥状に配置し、支持材３間の間隔Ｗ2 を広くすることによって、スクリーン２の目２ｂからトラフ１上に落下した被選別物５が支持材３間に引っ掛かるのを防止することができる。
【００１７】
尚、支持材３の間隔Ｗ2 、支持材３の枚数等は、スクリーン２上に被選別物５を供給してもスクリーン２が撓まず且つスクリーン２からトラフ１上に落下した被選別物５が支持材３間に引っ掛かることなく、トラフ１上を上流側から下流側へ円滑且つスムースに流れるように選定されている。
又、スクリーン２を形成する各帯状金属板２ａの上流側端部はトラフ１の上流側側壁１ｃに溶接等により固着されている。
更に、スクリーン２を形成する各帯状金属板２ａのうち、左右両端の帯状金属板２ａはトラフ１の左右の側壁１ｂに溶接等により固着されている。
【００１８】
前記駆動部４は、トラフ１及びスクリーン２を一定の振動数及び振幅で振動させるものであり、トラフ１に連動連結されている。この振動部には、従来公知の振動機（バイブレータ）が使用されている。
【００１９】
而して、上記構成の振動スクリーンに於いて、破袋機、破砕機及び磁選機により夫々破袋処理、破砕処理並びに除鉄処理された不燃ごみや粗大ごみ等の被選別物５は、先ずスクリーン２の上流側（図１の斜め右上側）へ供給される。
【００２０】
スクリーン２上に供給された被選別物５は、振動スクリーン全体が傾斜し且つ振動していることとも相俟って、スクリーン２上で振動作用を受けながらスクリーン２上を上流側（図１の斜め右上側）から下流側（図１の斜め左下側）へ順次搬送されて行く。この間に、スクリーン２の目２ｂの幅Ｗ1 よりも小さい被選別物５（土砂、ガラス片、陶器片等）は、スクリーン２の目２ｂを通過してトラフ１上に落下し、トラフ１の振動作用によりトラフ１の底壁１ａ上を上流側から下流側へ順次搬送されて行き、トラフ１の下流側端部に形成した排出口１ｄからトラフ１外へ落下排出される。
【００２１】
尚、被選別物５をふるい分けるスクリーン２は、その目２ｂの幅Ｗ1 が上流側から下流側へ行くに従って徐々に広くなっている為、被選別物５のふるい分け中に被選別物５がスクリーン２の目２ｂに詰まりそうになっても、この被選別物５はスクリーン２上を上流側から下流側へ移動する被選別物５により下流側へ押され、徐々に広くなっているスクリーン２の目２ｂからトラフ１上に落下することになり、目詰まりが防止されることになる。
【００２２】
一方、スクリーン２の目２ｂを通過しなかった被選別物５中の比較的大きなもの（大型の不燃物や紙、布、プラスチック、木片、アルミ缶等）は、引き続きスクリーン２上を上流側（図１の斜め右上側）から下流側（図１の斜め左下側）へ搬送されて行き、スクリーン２の下流側端部から排出口（図示省略）を経てトラフ１外へ落下排出される。
【００２３】
ところで、振動スクリーンに於いては、スクリーン２からトラフ１上へ落下する被選別物５の大きさは、スクリーン２の目２ｂの幅Ｗ1 で規定されている。従って、スクリーン２の目２ｂの幅Ｗ1 よりも大きな被選別物５や同じく目２ｂの幅Ｗ1 よりも長い長尺状の被選別物５は、基本的にはスクリーン２からトラフ１上へ落下しないことになる。
ところが、スクリーン２の目２ｂの幅Ｗ1 よりも長い長尺状の被選別物５にあっては、搬送中にスリットの目２ｂに沿って平行な姿勢となったときに、スクリーン２の目２ｂを通過してトラフ１上に落下することがある。この場合、前記被選別物５は、トラフ１上に配置した支持材３間にブリッジ状に引っ掛かって被選別物５の流れを阻害することがある。
しかし、上述した振動スクリーンに於いては、スクリーン２を支持する複数の支持材３をトラフ１とスクリーン２との間に千鳥状に配置して、支持材３間の間隔Ｗ2 を広くするようにしている為、長尺状の被選別物５がトラフ１上に落下しても、支持材３間にブリッジ状に引っ掛かると云うことがなく、トラフ１上を上流側から下流側へ円滑且つスムースに搬送されて行く（図２参照）。
【００２４】
このようにして、被選別物５は、振動スクリーンにより一定以上の大きさの被選別物５と一定未満の大きさの被選別物５とに選別処理される。その後、選別処理された被選別物５は、引き続き次の処理工程へ送られて行く。
【００２５】
尚、上記実施の形態に於いては、振動スクリーン全体を下流側が上流側よりも若干低くなる傾斜姿勢でもって配置するようにしたが、他の実施の形態に於いては、振動スクリーン全体を水平姿勢で配置するようにしても良い。
【００２６】
上記実施の形態に於いては、スクリーン２の目２ｂの幅Ｗ1 を上流側から下流側に向って徐々に広くなるようにしたが、他の実施の形態に於いては、スクリーン２の目２ｂの幅Ｗ1 を全て同じ間隔にするようにしても良い。
【００２７】
上記実施の形態に於いては、スクリーン２の目２ｂをスリット状に形成したが、他の実施の形態に於いては、スクリーン２の目２ｂを網目状に形成するようにしても良い。
【００２８】
上記実施の形態に於いては、スクリーン２を支持する支持材３を長尺の板状に形成したが、他の実施の形態に於いては、支持材３を棒状に形成するようにしても良い。
【００２９】
【発明の効果】
以上の説明からも明らかなように、本発明の振動スクリーンは、スクリーンを支持する支持材を千鳥状に配置して支持材間の間隔を広く取るようにしている為、トラフ上にスクリーンの目の大きさよりも長い被選別物が落下した場合でも、この被選別物は支持材間にブリッジ状に引っ掛かることなく、トラフ上を上流側から下流側へ円滑且つスムースに搬送されて行く。
その結果、本発明の振動スクリーンは、被選別物が支持材間にブリッジ状に引っ掛かって次々に送られて来るトラフ上の被選別物の流れを阻害すると云うことがなく、又、支持材間に引っ掛かった被選別物の除去作業も不要となる。
【図面の簡単な説明】
【図１】本発明の実施の形態に係る振動スクリーンの一例を示す概略斜視図である。
【図２】振動スクリーンの要部を示す平面図である。
【図３】従来の振動スクリーンの概略斜視図である。
【図４】従来の振動スクリーンの要部を示す平面図である。
【符号の説明】
１はトラフ、２はスクリーン、３は支持材、５は被選別物、Ｗ2 は支持材間の間隔。
【図１】
0003648082.tif 000002
【図２】
0003648082.tif 000003
【図３】
0003648082.tif 000004
【図４】
0003648082.tif 000005